(57)【要約】【課題】  鉄骨構造建築物の外壁の断熱方法における熱的弱点及び構造強度上の弱点を施工性を損なわずに改善する。【解決手段】  板状断熱材を鉄骨ラーメン構造の主架構と外壁の間に配置することによって隙間なく断熱材を配置することを可能とし、よって鉄骨胴縁による断熱欠損を無くし、外装仕上げ材を胴縁表面に固定できるようにすることで外壁の下がり、脱落を防止できる構造とする。また、形状を工夫した専用金物図５及び図６を開発することで市販材料を平易な作業で施工できるようにすることで作業効率を高める。【選択図】図１
2007315161.tif 000002
【特許請求の範囲】
【請求項１】
鉄骨造ラーメン構造建築物の主架構と外壁壁体の間に板状断熱材を配置することにより主要構造部並びに室内空間を断熱材によって最小限度のブラケットを除き切れ間無く囲い込むことが出来ることを特徴とする断熱システム。
【請求項２】
市販規格流通品である内装用軽量形鋼及び板状断熱材を前記断熱システムに用いる為に設計された留め付け金具
【請求項３】
前記留め付け金物を用いることによって構成された建築内装用壁仕上げ工法
【発明の詳細な説明】
【技術分野】
【０００１】  本発明は建築物の断熱に用いる断熱材の配置位置ならびに断熱材と仕上げ材の保持に関するものである。
【背景技術】
【０００２】  建築物においては屋外の季節や天候の変化による温度変化から室内環境を保護するために外壁に断熱を施す。従来の建築物においては図２に示すように外壁材を支持する銅縁１の間に断熱材２を配置した外壁内側に断熱材を配置した内断熱が用いられてきた。また、一部には図３に示すように、これらの銅縁の材質の影響を排除するために断熱材２を銅縁１の外側に配置した外断熱工法も用いられている。【０００３】  従来の鉄骨造建築物においては従来の工法による熱的弱点を改善することによってより良い室内環境をつくることができ、もしくは断熱材の位置と留め付け方法を改善することで構造強度上の問題を改善できる余地がある。
【発明の開示】
【発明が解決しようとする課題】
【０００４】  前記の内断熱の場合、鉄骨構造においては胴縁が熱貫流抵抗の低い鉄骨材によって構成されるため、この部分が弱点となって外壁全体として見た場合断熱性能の低下を招いていた。また、外断熱工法においては、鉄骨造の場合外壁仕上げ材料を固定するビスが貫通した箇所における胴縁鉄骨の肉厚のみで外装材の重量が支持されるため、外壁材料の重量と断熱材によって設けられた距離によって生じるモーメントを支持することができずに外装材が下方へずれる、もしくは脱落する危険性があった。
【課題を解決するための手段】
【０００５】  重量鉄骨構造建築物における外壁断熱の改善策として断熱材の配置位置を主架構と外壁の間とする事によって構造強度上の弱点とならない構造でありながら熱的弱点を極小とした断熱工法を構成し、かつ極力市販流通部材によって構成するための金物部材を開発した
【発明の効果】
【０００６】  第一発明によって、鉄骨によって構成された主架構の外側かつ外壁胴縁の内側に断熱材が配置される事で切れ間無く断熱材を配置でき、鉄骨による断熱欠損のない断熱システムを構成することができるとともに、外壁材料と胴縁の間に断熱材を挟む外断熱工法と違い胴縁に直接外壁仕上げ材を留めつけることができることによって外壁材重量と支点に距離が発生せず、よって外壁重量によるモーメントが発生しないことによって外壁材料のずれ・脱落などの構造強度上の問題点を同時に解決することができる。【０００７】  第二発明の金具によって外壁胴縁に添って配置した市販板状断熱材とこちらも一般流通建材である内装用軽量形鋼（野縁用Ｍバー）を平易な取付作業によって押さえて固定することができ、接着・吹き付けといった湿式作業が介在しないことで養生時間が不要であり熟練した技能を必要としないため高い作業効率を獲得できる。また同金具は市販材料で目的の作業効率が得られるよう形状においてこれまでに無い特徴を有している。【０００８】  前記第二発明において金具を固定するための部材として内装用軽量形鋼を使用していることによって、これに直接内装用ボードを留めつけることができ、このことによって断熱システムの施工完了と同時に外壁内側の内装下地施工が完了する。第二発明の金具を使用することによって第三発明の内装仕上げ工法を構成することができる。本工法によって外壁及び断熱の施工後、新たに内装材用を留めつけるための下地として胴縁を設ける材料と手間が省けることでコスト及び工期の縮減に多大に寄与することができる。
【発明を実施するための最良の形態】
【０００９】  第一発明の実施形態を図４に示す。
外壁胴縁を鉄骨ラーメン構造の主架構からブラケットによって持ち出して固定することによって主架構（柱・梁）と外壁胴縁の間に隙間無く断熱材を配置することができる。【００１０】  第二発明の実施形態を図５に示す。
金物はブラケット図５とブラケットを任意の位置で固定できるレール図６によって構成されている。またブラケットは、地震などによる建物の揺れや外力からくるブラケットの回転による脱落を防止する返し（イ）とレールとのジョイント部（ロ）、断熱材を押さえるツバ（ニ）を有し内装用軽量形鋼を壁面にそって嵌め込めるよう特有の曲線形状の切り込み（ハ）に加工されている。【００１１】第三発明の実施形態を図１に示す。
本発明は第二発明の金物を用いることによって構成される内装仕上げ工法であり、同金物によって支持された内装用軽量形鋼を横胴縁としてせっこうボード、合板、その他の内装壁用ボード類を留めつける施工法である。
【実施例１】
【００１２】  図１は本発明第一、第三の実施例の断面図であり、重量鉄骨構造建築物における外壁の例である。
【図面の簡単な説明】
【００１３】
【図１】  図１は本発明第一、第三の実施形態を示す平断面図である。
【図２】  図２は従来の内断熱工法を示す平断面図である。
【図３】  図３は外断熱工法の平断面図である。
【図４】  図４は第一発明の実施形態を示す平断面図である。
【図５】  図５は第二発明を構成する金物のうちブラケットの五面図及びアイソメトリック投影図である。
【図６】  図６は第二発明を構成する金物のうちレールの断面図である
【符号の説明】
【００１４】  １．胴縁  ２．断熱材  ３．レール  ４．ブラケット  ５．通気銅縁  ６．支持プレート  ７．内壁下地材（ＬＧＳ等）  ８．内壁下地材（プラスターボード等）  ９．内壁仕上げ材（クロス等）  １０．外壁仕上げ材  １１．空気層  １２．構造梁  １３．支持部材（ビス等）
イ．回転防止用返し  ロ．ジョイント部  ハ．曲線形状の切り込み  ニ．ツバ
【図１】
2007315161.tif 000003
【図２】
2007315161.tif 000004
【図３】
2007315161.tif 000005
【図４】
2007315161.tif 000006
【図５】
2007315161.tif 000007
【図５】
2007315161.tif 000008
【図５】
2007315161.tif 000009
【図６】
2007315161.tif 000010
【手続補正書】
【提出日】平成18年8月31日(2006.8.31)
【手続補正１】
【補正対象書類名】図面
【補正対象項目名】全図
【補正方法】変更
【補正の内容】
【図１】
2007315161.tif 000011
【図２】
2007315161.tif 000012
【図３】
2007315161.tif 000013
【図４】
2007315161.tif 000014
【図５】
2007315161.tif 000015
【図６】
2007315161.tif 000016
【図７】
2007315161.tif 000017
【図８】
2007315161.tif 000018
【図９】
2007315161.tif 000019
【手続補正２】
【補正対象書類名】明細書
【補正対象項目名】００１３
【補正方法】変更
【補正の内容】
【００１３】
【図１】  図１は本発明第一、第三の実施形態を示す平断面図である。
【図２】  図２は従来の内断熱工法を示す平断面図である。
【図３】  図３は外断熱工法の平断面図である。
【図４】  図４は第一発明の実施形態を示す平断面図である。
【図５】  図５は第二発明を構成する金物のうちブラケットの側方三面図である。
【図６】  図６は第二発明を構成する金物のうちブラケットの上方投影図である。
【図７】  図７は第二発明を構成する金物のうちブラケットの下方投影図である。
【図８】  図８は第二発明を構成する金物のうちブラケットのアイソメトリック投影図である。
【図９】  図９は第二発明を構成する金物のうちレールの断面及姿図である。